(57)【要約】
【課題】雨水に含まれる異物を取り除くためにフィルタした雨水を貯水タンクへ貯水すると共に貯水タンクが一杯になると、排水パイプへ溢れさせる雨水フィルタを提供する。
【解決手段】排水パイプ２の下端に接続される接続リング１０、この接続リング１０の下端に接続されると共に雨水を流す貫通孔２４を有するシースパイプ２０、このシースパイプ２０の下シースパイプ２２に接続され、出口パイプ４５を介して雨水を貯水タンクへ導くと共に異物や溢れ出す（フィルタされた）雨水を排水パイプ３へ導く分流パイプ４０、および出口パイプ４５の入口端４６に取り付けられるフィルタボディ３０を備える。フィルタメッシュ３３を取り付けるフィルタボディ３０の上面３２は、バイアス（傾斜）している。
【選択図】図１
0003099570.tif 000002
【実用新案登録請求の範囲】
【請求項１】
　中空のリング状部材である接続リングと、
　接続面の上下にそれぞれ上シースパイプおよび下シースパイプを有し、前記接続面に前記上および下シースパイプと連通して形成された貫通孔を有するシースパイプと、
　該シースパイプの前記下シースパイプに接続される上接続パイプ、該上接続パイプに水チャネルを介して接続される下接続パイプおよび前記上接続パイプに接続して形成された出口パイプを有する分流パイプと、
　前記分流パイプの前記出口パイプの入口端に取り付けられるフィルタボディを備え、
　前記接続リングの一部分が前記シースパイプの前記上シースパイプに移動可能に嵌め込まれることを特徴とする雨水フィルタ。
【請求項２】
　前記フィルタボディの上面は、バイアスされていることを特徴とする請求項１に記載の雨水フィルタ。
【請求項３】
　前記フィルタボディの上面にフィルタメッシュが取り付けられることを特徴とする請求項１又は２に記載の雨水フィルタ。
【請求項４】
　前記シースパイプの前記貫通孔の下にチャネリングパイプが形成されることを特徴とする請求項１、２又は３に記載の雨水フィルタ。
【請求項５】
　前記フィルタボディは、前記シースパイプの前記貫通孔の下方に配置され、前記チャネリングパイプが前記フィルタメッシュと直接位置合わせされることを特徴とする請求項３又は４に記載の雨水フィルタ。
【請求項６】
　前記分流パイプの前記上接続パイプには、突起が形成されていることを特徴とする請求項１乃至５の何れかに記載の雨水フィルタ。
【考案の詳細な説明】
【技術分野】
【０００１】
　本考案は雨水フィルタに関し、特に屋根等に降る雨水を集めてフィルタして異物を除去すると共に余分な雨水を、排水パイプを使用して排水可能な雨水フィルタに関する。
【背景技術】
【０００２】
　水資源が不足する地域では、広い表面積の雨水を集めるダムの建造が最も効果的な手段である。しかし、ダムの建設は、高価であると共に時間がかかり、しかも環境問題および安全問題が潜んでいる。従って、家庭やガーデニングに使用するために屋根を使用して雨水を集める、小面積（又は小規模）雨水集積システムが、少ない作業および予算で可能である。
【０００３】
　一般的な雨水集積システムは、雨水を処理することなく単に雨水を集めて貯水するものであり、集められた雨水は、容器に導いて貯蔵および使用する。しかし、排水パイプにより集められた雨水には、蚊やその他の有害な昆虫の卵等を有する木の葉、小枝その他の不純物を含み、貯蔵された雨水の清潔さには大きな問題を有する。その結果、貯蔵された雨水を使用不能にするのみならず、環境への保健衛生状態への不安をも生じることとなる。そこで、貯蔵される雨水の清潔度を維持することが大きな課題となる。
【０００４】
　台湾特許出願番号第８９２１７３０８号の「雨水貯蔵装置」は、小面積の雨水収集システムで集められた雨水をフィルタ（ろ波）する設計を開示している。この従来技術は、本願の考案者の考案によるものであり、本願の出願人に譲渡されたものである。
【０００５】
　上述の従来技術は、タンクおよびフィルタ装置により構成され、使用される雨水をフィルタすると共に余剰水を排水する機能を備えている。しかも、余剰水をフィルタして排水するために、排水パイプを設計してフィルタされた余剰水を下水システムへ排水するよう設計されているので、排水パイプの取付作業、コストおよび占有空間が増加する。また、タンクが一杯になると、集められた多量の雨水が、フィルタパイプを取り付ける開口を介して溢れ出すこととなり、好ましくない結果を生じる虞がある。
【０００６】
　本考案は、従来技術の上述した課題に鑑みなされたものであり、上述した課題を解消又は軽減する雨水フィルタを提供することを目的とする。
【考案の開示】
【考案が解決しようとする課題】
【０００７】
　排水パイプにより集められた雨水には、蚊やその他の有害な昆虫の卵等を有する木の葉、小枝その他の不純物を含み、貯蔵された雨水の清潔さには大きな問題を有し、貯蔵された雨水が使用不能になるだけでなく、環境への保健衛生状態への不安が生じる。
【課題を解決するための手段】
【０００８】
　本考案の雨水フィルタは、中空のリング状部材である接続リングと、接続面の上下にそれぞれ上シースパイプおよび下シースパイプを有し、接続面に上下シースパイプと連通して形成された貫通孔を有するシースパイプと、このシースパイプの下シースパイプに接続される上接続パイプ、この上接続パイプに水チャネルを介して接続される下接続パイプおよび上接続パイプに接続して形成された出口パイプを有する分流パイプと、この分流パイプの出口パイプの入口端に取り付けられるフィルタボディを備え、接続リングの一部分がシースパイプの上シースパイプに移動可能に嵌め込まれることを特徴とする。
【０００９】
　また、本考案の雨水フィルタの好適実施形態によると、フィルタボディの上面はバイアスされている。フィルタボディの上面にフィルタメッシュが取り付けられる。シースパイプの貫通孔の下にチャネリングパイプが形成される。フィルタボディは、シースパイプの貫通孔の下方に配置され、チャネリングパイプがフィルタメッシュと直接位置合わせされる。分流パイプの上接続パイプには突起が形成されている。
【考案の効果】
【００１０】
屋根等に降った雨水に含まれる不純物又は異物を効果的にフィルタし、使用可能な雨水を貯水タンクへ導くことが可能である。また、フィルタボディの上面をバイアスすることにより、フィルタメッシュに付着する異物を洗い流し、フィルタメッシュの機能が低減するのを抑えることが可能である。
【実施例１】
【００１１】
　以下、本考案による雨水フィルタの好適実施形態の構成および動作を、添付図面を参照して詳細に説明する。
【００１２】
　先ず、図１は、本考案による雨水フィルタの好適実施形態の分解斜視図を示す。図１に示す雨水フィルタ１は、接続リング１０、シースパイプ２０、フィルタボディ３０および分流（ダイバート）パイプ４０により構成される。ここで、接続リング１０は、中空のリング状部材である。シース（嵌め込み）パイプ２０は、接続面２３上に取り付けられた上シースパイプ２１および接続面２３の下に取り付けられた下シースパイプ２２を有し、上シースパイプ２１および下シースパイプ２２間の接続面２３には、貫通孔２４が設けられ、その下にチャネリングパイプ２５が配置されている。
【００１３】
　分流パイプ４０は、上接続パイプ４１、下接続パイプ４２およびフィルタされた水の出口（アウトレット）パイプ４５を有する。上接続パイプ４１は、適当な位置に配置された突出エッジ４３を有し、生（未フィルタ）水チャネル４４を介して下接続パイプ４２に接続される。出口パイプ４５は両端を有し、一端は入口端４６であり、他端は出口端４７である。入口端４６は、上接続パイプ４１に接続されている。フィルタボディ３０は本体３１を有し、この本体３１の上端面３２は、バイアス（水平面に対して傾斜）され、その上にフィルタメッシュ３３が配置されている。
【００１４】
　次に、組立状態の雨水フィルタ１の断面図を示す図２を参照して説明する。即ち、図１に示す接続リング１０、シースパイプ２０、フィルタボディ３０およびダイバートパイプ４０が相互に組み立てられている。これらの組立工程は、次のとおりである。フィルタボディ３０は、分流パイプ４０の出口パイプ４５の入口端４６に取り付けられる。接続リング１０は、シースパイプ２０の上シースパイプ２１に部分的に嵌め込まれる。シースパイプ２０は、下シースパイプ２２を介して分流パイプ４０の上接続パイプ４１に接続され、そして突出エッジ４３により止められる。フィルタボディ３０は、シースパイプ２０の貫通孔２４の下方に位置し、チャネリングパイプ２５がフィルタメッシュ３３と直接位置合わせされる。
【００１５】
　次に、図３を参照して説明する。図３は、本考案の雨水フィルタ１を家庭用排水パイプに適用された状態を示す断面図を示す。上排水パイプ２の下端を接続リング１０の上端に部分的に嵌め込んで接続する。一方、排水パイプ３の上端をダイバートパイプ４０の下接続パイプ４２に嵌め込んで接続する。これにより、雨水フィルタ１は、上排水パイプ２および下排水パイプ３間にタンデム（縦続）に接続され、分流パイプ４０の出口パイプ４５の出口端４７は、貯水タンク（図示せず）に接続される。
【００１６】
　例えば屋根等に降った雨水が雨水フィルタ１に流れ込むと、上排水パイプ２から雨水フィルタ１へ導かれ、分流パイプ４０により２つに分流される。即ち、１つの流れは、フィルタボディ３０によりフィルタされて分流パイプ４０の出口パイプ４５への流れであり、上述の如く貯水タンクに蓄えられて使用される。他方の流れは、分流パイプ４０の生水チャネル４４への流れであり、排水パイプ３へ直接導かれた排水される。これによりフィルタされた雨水のレベル（水位）が一定レベルに達すると、フィルタされない水が直接下排水パイプ３へ排水され、（貯水タンクから）溢れ出すのを防止する。
【００１７】
　フィルタボディ３０の上面３２はバイアスして配置されているので、フィルタメッシュ３３に付着する種々の不純物は、シースパイプ２０の貫通孔２４から落下する雨水のインパクト（衝撃）により洗い流される。その結果、フィルタメッシュ３３のフィルタ機能は維持される。フィルタメッシュ３３から洗い流された不純物は、下排水パイプ３を介して排水される。
【００１８】
　長期にわたる使用の結果、フィルタボディ３０のフィルタメッシュ３３に不純物がこびり付くか又はフィル多機能が低下又は劣化すると、ユーザは接続リング１０を少し上方へ持ち上げ（スライドし）、シースパイプ２０の上シースパイプ２１から取り外す。そして、シースパイプ２０を分流パイプ４０から分離可能にする。その結果、ユーザは、フィルタボディ３０を取り外し、フィルタ３３の交換又は修理（保守）が可能になる。
【００１９】
　図４は、上述したフィルタボディ３０の交換又は保守作業手順を示す断面図である。即ち、最初に、接続リング１０を上排水パイプ２に沿って持ち上げる。次に、シースパイプ２０を上方および側方へ移動して、分流パイプ４０から抜き取る。最後に、フィルタボディ３０を分流パイプ４０から取り外してフィルタメッシュ３３の交換又は修理を行う。尚、分流パイプ４０は、下排水パイプ３に接続されたままである。フィルタメッシュ３３の交換又は保守後の、雨水フィルタの再組立は、上述した手順と逆に行う。
【００２０】
　以上、本考案による雨水フィルタの好適実施形態の構成および作用について詳述した。しかし、斯かる実施形態は、本考案の基本原理を説明するための単なる例示に過ぎず、何ら本考案を限定するものではないことに留意されたい。本考案の要旨乃至基本原理を逸脱することなく、特定用途に応じて種々の変更変形が可能であること当業者には容易に理解できよう。
【図面の簡単な説明】
【００２１】
【図１】本考案による雨水フィルタの好適実施形態の分解断面図である。
【図２】図１に示す雨水フィルタの組立状態の断面図である。
【図３】図１に示す雨水フィルタを排水パイプに取り付けた状態を示す断面図である。
【図４】図３の雨水フィルタのフィルタ交換作業を説明する断面図である。
【符号の説明】
【００２２】
　１　　　雨水フィルタ
　２、３　排水パイプ
　１０　　接続リング
　２０　　シースパイプ
　２１　　上シースパイプ
　２２　　下シースパイプ
　２３　　接続面
　２４　　貫通孔
　２５　　チャネリングパイプ
　３０　　フィルタボディ
　３２　　上面
　３３　　フィルタメッシュ
　４０　　分流（ダイバート）パイプ
　４１　　上接続パイプ
　４２　　下接続パイプ
　４３　　突起
　４５　　出口（アウトレット）パイプ
【図１】
0003099570.tif 000003
【図２】
0003099570.tif 000004
【図３】
0003099570.tif 000005
【図４】
0003099570.tif 000006